(57)【要約】【課題】放射部材に要するイニシャルコストを抑えることを可能としながら、放射と自然対流とを併用した空調の効率化を図ることができる空調システムを提供する。【解決手段】  熱媒管２に熱媒を通流させることで放射部材１を介して空調対象域Ａを空調する空調システムであって、放射部材１が、少なくとも長手方向に延在する底板部１Ａと側板部１Ｂとを有して上方又は側方が開放された長尺型材にて構成されて上方又は側方が開放された状態で配設され、熱媒管２が、放射部材１の底板部１Ａの上面に載置され、放射部材１が、空調対象域Ａの上方側において側板部１Ｂを空調対象域Ａに露出させ、且つ、空調対象域Ａと天井裏空間Ｃとを連通させる隙間３を空けた状態で複数配置されている。【選択図】図１
2019117023.tif 000002
【特許請求の範囲】
【請求項１】
空調対象域に臨む状態で空調対象域の上方側に配設された放射部材と、
前記放射部材に沿わせて配設された熱媒管とが備えられ、
前記熱媒管に熱媒を通流させることで前記放射部材を介して空調対象域を空調する空調システムであって、
前記放射部材が、少なくとも長手方向に延在する底板部と当該底板部から立ち上がる側板部とを有して上方又は側方が開放された長尺型材にて構成されて上方又は側方が開放された状態で配設され、
前記熱媒管が、前記放射部材における前記底板部の上面に載置され、
前記放射部材が、空調対象域の上方側において、前記側板部を空調対象域に露出させ、且つ、空調対象域と天井裏空間とを連通させる隙間を空けた状態で複数配置されている空調システム。
【請求項２】
前記長尺型材が、前記底板部と左右の前記側板部とを有して上方が開放された建築用鋼製下地材として汎用される断面コの字状の汎用型材である請求項１記載の空調システム。
【請求項３】
複数の前記放射部材を平面視で間隔を空けた状態で配設して構成された第一放射部と、
複数の前記放射部材を前記第一放射部の前記放射部材とは平面視で位置ズレさせた状態で前記第一放射部よりも上方側に配設して構成された第二放射部とが備えられている請求項１又は２記載の空調システム。
【請求項４】
前記第一放射部が、複数の前記放射部材を平面視で第一方向に沿って間隔を空けた状態で配設して構成され、
前記第二放射部が、複数の前記放射部材を平面視で前記第一方向に交差する第二方向に沿って間隔を空けた状態で配設して構成されている請求項３記載の空調システム。
【請求項５】
複数の前記放射部材が、平面視で第一方向に沿って所定ピッチで配設されている請求項１〜４のいずれか１項に記載の空調システム。
【請求項６】
前記放射部材には、放射率を向上させる表面仕上げが施されている請求項１〜５のいずれか１項に記載の空調システム。
【発明の詳細な説明】
【技術分野】
【０００１】
本発明は、放射部材を介して空調対象域を空調する空調システムに関する。
【背景技術】
【０００２】
この種の空調システムは、特許文献１に示すように、空調対象域に臨む状態で空調対象域の上方側に配設された放射部材（第一プレート部（１４）、第二プレート部（１６）、アルミフィン（１８）、第一リブ（２２））と、放射部材に沿わせて配設された熱媒管（２０）とが備えられ、熱媒管に熱媒を通流させることで放射部材を介して空調対象域を空調するように構成されている。
【０００３】
特許文献１記載の空調システムでは、放射部材が、少なくとも長手方向に延在する幅広な底板部（第一プレート部（１４）、第二プレート部（１６）、アルミフィン（１８））と当該底板部の中央部位から立ち上がる中央板部（第一リブ（２２））とを有して上方が開放された長尺型材にて構成され、放射パネルを形成するための板状の基部材（１２）の下面側に取り付けられて上方開放部が閉塞された状態で配設されている。
また、放射部材は、幅広な底板部を空調対象域に露出させる状態で配置されているとともに、底板部の裏側を通じて空調対象域と天井裏空間とを連通する隙間（通気スリット（２８））を空けた状態で複数配置されている。熱媒管は、放射部材とその上方の基部材との間の閉塞された空間に設けられている。
【０００４】
この空調システムでは、冷房時において、放射部材の底板部から下方の空調対象域に熱を放射（輻射）させることで、放射による空調を行うことができるとともに、空調対象域での熱負荷により自然上昇して放射部材どうしの隙間を通じて天井裏空間に流入した空気を天井側の基部材を介して冷却し、その冷気を放射部材どうしの隙間を通じて自然降下させることで、自然対流による空調も行うことができ、放射と自然対流とを併用して空調を行うことができる。
【先行技術文献】
【特許文献】
【０００５】
【特許文献１】特開２０１２−２４７１１０号公報
【発明の概要】
【発明が解決しようとする課題】
【０００６】
上記従来の空調システムでは、放射部材の空調対象域に露出する部位が底板部だけであるので、放射面の面積を確保するためには幅広な底板部を有する専用の長尺型材を用いる必要があり、イニシャルコストがかかる不都合がある。
また、放射部材の上方開放部が基部材にて閉塞されているので、その分、放射部材による天井裏空間の空気の冷却効果が弱くなり、自然対流による空調が効率良く行えない。
【０００７】
この実情に鑑み、本発明の主たる課題は、放射部材に要するイニシャルコストを抑えることを可能としながら、放射と自然対流とを併用した空調の効率化を図ることができる空調システムを提供する点にある。
【課題を解決するための手段】
【０００８】
本発明の第１特徴構成は、空調対象域に臨む状態で空調対象域の上方側に配設された放射部材と、
前記放射部材に沿わせて配設された熱媒管とが備えられ、
前記熱媒管に熱媒を通流させることで前記放射部材を介して空調対象域を空調する空調システムであって、
前記放射部材が、少なくとも長手方向に延在する底板部と当該底板部から立ち上がる側板部とを有して上方又は側方が開放された長尺型材にて構成されて上方又は側方が開放された状態で配設され、
前記熱媒管が、前記放射部材における前記底板部の上面に載置され、
前記放射部材が、空調対象域の上方側において、前記側板部を空調対象域に露出させ、且つ、空調対象域と天井裏空間とを連通させる隙間を空けた状態で複数配置されている点にある。
【０００９】
本構成によれば、まずは、放射部材から下方の空調対象域に熱を放射させることで、放射による空調を行うことができるとともに、空調対象域での熱負荷により自然上昇して放射部材どうしの隙間を通じて天井裏空間に流入した空気を放射部材にて冷却し、その冷気を放射部材どうしの隙間を通じて自然降下させることで、自然対流による空調も行うことができ、放射と自然対流とを併用して空調を行うことができる。
【００１０】
そして、放射部材が、側板部を空調対象域に露出させ、且つ、空調対象域と天井裏空間とを連通させる隙間を空けた状態で複数配置されているので、空調対象域と天井裏空間とを連通させる隙間を利用して各放射部材の側板部を斜め下方側からの見つけ面(形態係数)として有効に寄与させることができ、放射部材の底板部と側板部とで空調対象域に対する放射面積を良好に確保することができる。そのため、放射部材を構成する長尺型材が前述した幅広な底板部を有する専用の型材に縛られず、放射部材を構成する長尺型材として他の形状（例えば、幅広な底板部を有さない形状等）の安価な型材を用いることも可能となり、イニシャルコストを抑えることができる。
【００１１】
しかも、放射部材が、上方又は側方が開放された長尺型材にて構成されて上方又は側方が開放された状態で配設されているので、放射部材にて天井裏空間の空気を効率良く冷却することができ、自然対流による空調を効率良く行うことができる。
更に、熱媒管が、上方又は側方が開放された状態で配設された長尺型材の底面部の上面に載置されているので、上方又は側方の開放部をメンテナンス用の開口に利用して熱媒管の漏水等の状態確認を容易に行うことができ、メンテナンス性にも優れている。
【００１２】
なお、放射部材の底板部の上面に載置された熱媒管の側方への移動を放射部材の側板部にて阻止することができ、放射部材からの熱媒管の脱落を適切に防止することができる。
また、放射部材どうしの間の隙間を通じて空調対象域と天井裏空間とが連通するので、例えば、天井スラブに吸音材を設ける等により、放射部材どうしの間の隙間を通じて有効な吸音を容易に行うことが可能となる。更に、例えば、天井チャンバー式の排煙を採用することも可能となり、その場合には、感知器を天井裏空間に目立たないよう設けることができる。加えて、多数の放射部材を分散配置して放射面を細かく分割した開放天井とすることにより、空調対象域における上方側からの圧迫感を緩和することも可能となる。
【００１３】
本発明の第２特徴構成は、前記長尺型材が、前記底板部と左右の前記側板部とを有して上方が開放された建築用鋼製下地材として汎用される断面コの字状の汎用型材である点にある。
【００１４】
本構成によれば、壁や天井の鋼製下地材等の建築用鋼製下地材として汎用される断面略コの字状の汎用型材にて放射部材を構成するので、空調対象域の上方側での施工に慣れた汎用型材を用いることによる良好な施工性を確保しながら、イニシャルコストの低廉化を図ることができる。更に、放射部材が、上方が開放された凹部を有する形状であるので、その凹部内に収容された熱媒管側でたとえ結露が発生しても、空調対象域側に滴下するのを抑制することができる。
【００１５】
本発明の第３特徴構成は、複数の前記放射部材を平面視で間隔を空けた状態で配設して構成された第一放射部と、
複数の前記放射部材を前記第一放射部の前記放射部材とは平面視で位置ズレさせた状態で前記第一放射部よりも上方側に配設して構成された第二放射部とが備えられている点にある。
【００１６】
本構成によれば、平面視で位置ズレした鉛直方向下側の第一放射部の放射部材と鉛直方向上側の第二放射部の放射部材とにより空調対象域への放射面積を広く確保することができ、その広い放射面積を用いて空調負荷が高い場合にも適切に対応することができる。
【００１７】
本発明の第４特徴構成は、前記第一放射部が、複数の前記放射部材を平面視で第一方向に沿って間隔を空けた状態で配設して構成され、
前記第二放射部が、複数の前記放射部材を平面視で前記第一方向に交差する第二方向に沿って間隔を空けた状態で配設して構成されている点にある。
【００１８】
本構成によれば、平面視で交差する状態で位置ズレした延直方向下側の第一放射部の放射部材と鉛直方向上側の第二放射部の放射部材とにより空調対象域への放射面積を効率良く確保することができる。また、例えば、平面視で交差する状態で位置ズレした延直方向下側の第一放射部の放射部材と鉛直方向上側の第二放射部の放射部材とを安定的且つ強固に組み付けることができ、そのようにすれば、夫々の放射部材の振れ止めを効率良く行うことができる。
【００１９】
本発明の第５特徴構成は、複数の前記放射部材が、平面視で第一方向に沿って所定ピッチで配設されている点にある。
【００２０】
本構成によれば、空調対象域の上方側で規則的に並ぶ放射部材により空調作用が均一で意匠性も優れた放射天井を構成することができる。
【００２１】
本発明の第６特徴構成は、前記放射部材には、放射率を向上させる表面仕上げが施されている点にある。
【００２２】
本構成によれば、放射率を向上させる表面仕上げを施すことで、長尺型材からなる放射部材がパネル等に比べて放射面積が小さくなるのを補って所望の放射率を得ることができ、放射による空調を適切に行うことができる。
【図面の簡単な説明】
【００２３】
【図１】空調システムの概念図
【図２】空調システムを下方側（空調対象域側）から見た斜視図
【図３】熱媒管が配設された状態の放射部材を短手方向に沿って切断した縦断面図
【図４】（ａ）熱媒管が配設された状態の放射部材の要部の平面図、（ｂ）熱媒管が配設された状態の放射部材の要部の側面図
【図５】熱媒の流れを示す図
【図６】空調システムを上方側（天井裏空間）から見た斜視図
【図７】図６の要部をＸ方向に沿って切断した断面図
【図８】図６の要部をＹ方向に沿って切断した断面図
【発明を実施するための形態】
【００２４】
本発明の空調システムの実施形態を図面に基づいて説明する。
まず、図１を参照して本空調システムの基本構成について説明する。
図１に示すように、この空調システムは、空調対象域Ａに臨む状態で空調対象域Ａの上方側に配設された放射部材１と、放射部材１に沿わせて配設された熱媒管２とが備えられ、熱媒管２に冷水（熱媒の一例）を通流させることで放射部材１を介して空調対象域Ａを空調するように構成されている。
なお、図１中において、太実線矢印は放射部材１からの放射のイメージを示し、細実線矢印は自然上昇する暖気の流れを示し、細点線矢印は自然降下する冷気の流れを示している。
【００２５】
前記放射部材１は、本実施形態では、長手方向に延在する底板部１Ａと当該底板部１Ａから立ち上がる左右の側板部１Ｂを有して上方が開放された断面コの字状の長尺型材にて構成され、上方が開放された状態（姿勢）で配設されている。放射部材１を構成する長尺型材としては、建築用鋼製下地材として汎用される汎用型材が好適に用いられる。
そして、放射部材１は、空調対象域Ａの上方側の天井レベルにおいて、側板部１Ｂを空調対象域に露出させ、且つ、空調対象域Ａと天井裏空間Ｃとを連通する隙間３を空けた状態で複数配置されている。
【００２６】
前記熱媒管２は、適度な可撓性と熱伝導性とを有する樹脂製の配管材料で構成されており、放射部材１における底板部１Ａの上面に複数本が並列状態で載置されている。熱媒管２を通流する冷水の保有熱が放射部材１に伝達され、その放射部材１を介して空調対象域Ａが空調される。
【００２７】
このように構成された空調システムは、冷房時において、天井側の放射部材１から下方の空調対象域Ａに熱を放射（輻射）させることで、放射による空調を行うことができるとともに、空調対象域Ａでの熱負荷により自然上昇して放射部材１どうしの隙間３を通じて天井裏空間Ｃに流入した空気を天井側の放射部材１により冷却し、その冷気を放射部材１どうしの隙間３を通じて自然降下させることで、自然対流による空調も行うことができ、放射と自然対流とを併用して空調対象域Ａの空調を行うことができる。
【００２８】
そして、空調対象域Ａと天井裏空間Ｃとを連通させる隙間３により、各放射部材１において、底板部１Ａの下面部１ａ（図３参照）だけでなく、側板部１Ｂの外面部１ｂ（図３参照）を斜め下方側からの見つけ面(形態係数)として有効に寄与させることができ、放射部材１の底板部１Ａと側板部１Ｂとで空調対象域Ａに対する放射面積を良好に確保し、放射による空調を効率良く行うことができる。
更に、天井裏空間Ｃに露出する放射部材１にて天井裏空間Ｃの空気を効率良く冷却することができ、自然対流による空調も効率良く行うことができる。また、各放射部材１の上方の開放部をメンテナンス用の開口に利用して、放射部材１の底板部１Ａの上面に載置された熱媒管２の漏水等の状態確認を容易に行うことができ、メンテナンス性にも優れている。
しかも、放射部材１を、壁や天井の鋼製下地材等の建築用鋼製下地材として汎用される断面略コの字状の汎用型材にて構成するので、天井側での施工に慣れた汎用型材を用いることによる良好な施工性を確保しながら、イニシャルコストの低廉化を図ることができる。
【００２９】
なお、放射部材１は、側方が開放された断面コの字状の長尺型材にて構成され、側方が開放された状態で配設されていてもよく、また、底板部１Ａと単一の側板部１Ｂとを有して上方及び側方が開放された断面Ｌ字状等の長尺型材にて構成され、上方及び側方が開放された状態で配設されていてもよい。つまり、放射部材１は、少なくとも底板部１Ａと側板部１Ｂとを有して上方又は側方が開放された長尺型材にて構成され、上方又は側方が開放された状態で配設されていればよい。
【００３０】
次に、図２〜図８を参照して本空調システムの具体構成について説明する。
図２に示すように、この空調システムには、多数の放射部材１を平面視で間隔を空けた状態で配設して構成された上下二段（複数段の一例）の放射部４、５が備えられている。
具体的には、鉛直方向下側（図２中手前側）の第一放射部４と、多数の放射部材１を第一放射部４の放射部材１とは平面視で位置ズレさせた状態で第一放射部４よりも上方側に配設して構成された鉛直方向上側（図２中奥側）の第二放射部５とが備えられている。平面視で位置ズレした鉛直方向下側の第一放射部４の放射部材１と鉛直方向上側の第二放射部５の放射部材１とにより空調対象域Ａ（図１参照）への放射面積を広く確保することができる。
【００３１】
なお、第一放射部４及び第二放射部５において、放射部材１どうしの間隔は、例えば、放射部材１の短手方向の幅（横幅）よりも大に設定されており、天井裏空間Ｃ（図１参照）が開放された圧迫感の少ない開放天井を構成している。また、鉛直方向下側の第一放射部４の放射部材１の下端が天井レベルに配置されている。
【００３２】
前記第一放射部４は、平行する多数の放射部材１を平面視で第一方向Ｘに沿って間隔を空けた状態で配設して構成されている。前記第二放射部５は、平行する多数の放射部材１を平面視で第一方向Ｘに直交（交差の一例）する第二方向Ｙに沿って間隔を空けた状態で配設して構成されている。第一放射部４及び第二放射部５を構成する放射部材１は、平面視で格子状に配置されている。
本実施形態では、第一放射部４を構成する放射部材１や第二放射部５を構成する放射部材１は、干渉する別部材が配置される等により間隔を変更する必要がある部位を除き、所定ピッチで配設されている。なお、第一放射部４を構成する放射部材１や第二放射部５を構成する放射部材１のピッチを部位毎に変更するようにしてもよい。
【００３３】
図３に示すように、第一放射部４、第二放射部５を構成する放射部材１は、前記底板部１Ａと左右の前記側板部１Ｂを有して上方が開放された建築用鋼製下地材として汎用される断面コの字状の汎用型材にて構成されている。なお、この放射部材１における左右の側板部１Ｂの上端部には、内向きに延出したのちに下向きに延出する断面Ｌ字状の折り返し片部１ｃが形成され、詳細は後述するが、スラブＳ（図１参照）に吊り下げ支持する場合に好適に利用される。
【００３４】
各放射部材１の底板部１Ａの上面部には、熱媒管２と放射部材１との間の熱伝導性を向上させる熱伝導シート６が備えられている。この熱伝導シート６は、例えば、熱伝導率が高い炭素繊維等からなる基材６Ａをフィルム６Ｂ等で被覆して構成されている。熱伝導シート６の上面には、平行に並ぶ複数本（本例では４本）の熱媒管２との接触面積（伝熱面積）を拡大するとともに熱媒管２を所定位置に保持する複数の凹条６ａが形成されている。そのため、凹条６ａに装着された熱媒管２を流れる冷水の保有熱を放射部材１に効率良く伝えることができる。
【００３５】
また、各放射部材１の少なくとも外周面（底板部１Ａの下面部１ａと側板部１Ｂの外面部１ｂ）には、例えば、合同インキ株式会社のユニクール（登録商標）等の放射率の向上機能を有する放熱塗料を塗布して放射率の高い表面層（図示省略）を形成することで、放射率を向上させる表面仕上げが施されている。
なお、放射率を向上させる表面仕上げとしては、アルミシートを貼り付けて放射率の高い表面層（図示省略）を形成するものであってもよく、放射率を向上させる各種の表面仕上げを適宜に用いることができる。
【００３６】
図４（ａ）、（ｂ）に示すように、各放射部材１の長手方向の一端側に往きヘッダ２Ａが配設され、その往きヘッダ２Ａに複数本の熱媒管２の一端部が接続されている。また、各放射部材１の長手方向の他端側に還りヘッダ２Ｂが配設され、その還りヘッダ２Ｂに複数本の熱媒管２の他端部が接続されている。往きヘッダ２Ａに供給された冷水は、複数本の熱媒管２を通過して還りヘッダ２Ｂに至るようになっている。
【００３７】
図２、図５に示すように、この空調システムには、熱源（図示省略）から第一放射部４及び第二放射部５の各放射部材１の熱媒管２に冷水を循環供給する熱媒循環供給部２０が備えられている。
なお、この図５では、放射部材１毎の複数本の熱媒管２をまとめて１本の線で表している。また、第一放射部４及び第二放射部５の一方に対する熱媒供給系のみを示しているが、第一放射部４及び第二放射部５の他方に対する熱媒供給系は、平面視で９０度回転させる以外は同様である。
【００３８】
熱媒循環供給部２０は、第一放射部４及び第二放射部５の各放射部材１に沿わせて配設された熱媒管２に対して熱源（図示省略）から冷水を供給するための往路２１と、熱媒管２を通過した冷水を熱源に戻す還路２２とが備えられている。
【００３９】
本実施形態では、第一放射部４及び第二放射部５において、隣接する複数（本例では４つ）の放射部材１を１グループとし、各グループの放射部材１の熱媒管２に対して直列に冷水を供給する形態で、複数のグループに並列に冷水を供給するように構成されている。そのため、各グループにおいて複数の放射部材１の熱媒管２を直列に接続するための接続路２３が備えられている。
具体的には、各グループにおいて、最上流側の放射部材１の往きヘッダ２Ａに往路２１が接続され、最下流側の放射部材１の還りヘッダ２Ｂに還路２２が接続されている。また、隣接する放射部材１のうち、隣接して配置される上流側の放射部材１の還りヘッダ２Ｂと下流側の放射部材１の往きヘッダ２Ａとが接続路２３で接続されている。
【００４０】
熱源からの冷水は、熱媒循環供給部２０の往路２１を通じて各グループの最上流側の放射部材１の熱媒管２に供給され、熱媒循環供給部２０の接続路２３を通じて各グループの下流側の放射部材１の熱媒管２に直列に順番に送られ、各グループの最下流側の放射部材１の熱媒管２を通過した後、熱媒循環供給部２０の還路２２に送られて熱源に戻される。
このようにして、熱源から第一放射部４及び第二放射部５に冷水が循環供給されている。
【００４１】
次に、第一放射部４及び第二放射部５の支持構造について説明を加える。
図６に示すように、鉛直方向下側の第一放射部４は、スラブＳ（図１参照）から垂下する複数の吊りボルト１２の下端部に接続された鉛直方向下側の複数の第一野縁受け７により上方から支持されている。また、鉛直方向上側の第二放射部５は、複数の第一野縁受け７にて下方から支持された鉛直方向上側の複数の第二野縁受け８により上方から支持されている。なお、第一野縁受け７、及び、第二野縁受け８は、長手方向に延在する底板部と天井板部と側板部とを有するＣ型鋼等から構成されている。
【００４２】
具体的には、図６〜図８に示すように、上端部がスラブＳ（図１参照）に固定された吊りボルト１２の下端部に第一野縁受け７が第一接続具９を用いて接続されている。第一野縁受け７は、第一方向Ｘに沿って延びる姿勢で第二方向Ｙに沿って所定の間隔を空けた状態で並べて配設されている。各第一野縁受け７は、複数本の吊りボルト１２が接続されて複数本の吊りボルト１２に上方から支持されている。
【００４３】
第一接続具９は、公知の各種の接続具を採用可能であり、例えば、図７に示すように、吊りボルト１２の下端部が挿入可能な挿通孔を有する上方側の取付板部９Ａと、第一野縁受け７を下方から受け止め可能な下方側の凹状の受止板部９Ｂとを一体に備えたものを採用している。第一野縁受け７を受止板部９Ｂに受け止めさせ、吊りボルト１２の下端部を取付板部９Ａの挿通孔に挿通させた状態で、吊りボルト１２に螺合させた上下一対のナット９ａにて取付板部９Ａを上下方向から締め付けることにより、吊りボルト１２の下端部に第一野縁受け７を接続することができる。
【００４４】
図６、図８に示すように、複数の第一野縁受け７の下方側に、第一放射部４を構成する放射部材１が第二接続具１０を用いて接続されている。第一放射部４を構成する放射部材１は、第二方向Ｙに沿って延びる姿勢で第一方向Ｘに沿って間隔を空けた状態で並べて配設されている。第一放射部４を構成する放射部材１は、複数の第一野縁受け７に接続されて複数の第一野縁受け７に上方から支持されている。
【００４５】
第二接続具１０は、公知の各種の接続具を採用可能であり、例えば、第一野縁受け７の天井板部に対して上方から被さる状態で係止可能な上方側の掛止板部１０Ａと、放射部材１の左右の側板部１Ｂの上端側から内側に延出する折り返し片部１ｃを下方から引っ掛ける状態で吊り下げ支持可能な下方側の支持板部１０Ｂとを一体に備えた接続具を採用している。第一野縁受け７に掛止板部１０Ａを掛止させ、支持板部１０Ｂに放射部材１を吊り下げ支持させることで、第一野縁受け７に第一放射部４の放射部材１を接続することができる。
【００４６】
図６、図７に示すように、第一野縁受け７の上方側に第二野縁受け８が第三接続具１１を用いて接続されている。第二野縁受け８は、第二方向Ｙに沿って延びる姿勢で第一方向Ｘに沿って間隔を空けた状態で並べて配設されている。各第二野縁受け８は、複数の第一野縁受け７に接続されて複数の第一野縁受け７に下方から支持されている。
【００４７】
第三接続具１１は、公知の各種の接続具を採用可能であり、例えば、図８に示すように、引き寄せ用のボルト１１ａが貫通状態で螺合された天井板部１１Ａと、下端部に掛止片部１１ｂを有する左右の側板部１１Ｂとを備えた接続具を採用している。第二野縁受け８を左右の側板部１１Ｂの間に位置させた状態で、左右の側板部１１Ｂの下端部の掛止片部１１ｂを第一野縁受け７の天井板部の下面部に引っ掛け、ボルト１１ａを締め込んで第二野縁受け８と第一野縁受け７を上下方向から引き寄せることで、第一野縁受け７に第二野縁受け８を接続することができる。
【００４８】
図７に示すように、複数の第二野縁受け８の下方側に、第二放射部５を構成する放射部材１が第一放射部４と同様の接続形態にて第二接続具１０を用いて接続されている。第二放射部５を構成する放射部材１は、第一方向Ｘに沿って延びる姿勢で第二方向Ｙに沿って間隔を空けた状態で並べて配設されている。第二放射部５を構成する放射部材１は、複数の第二野縁受け８に接続されて複数の第二野縁受け８に上方から支持されている。
このようにして、第一放射部４、及び、第二放射部５がスラブＳ（図１参照）に支持されている。
【００４９】
〔別実施形態〕
本発明の他の実施形態について説明する。なお、以下に説明する各実施形態の構成は、それぞれ単独で適用するものに限られず、他の実施形態の構成と組み合わせて適用することも可能である。
【００５０】
（１）前述の実施形態では、第一放射部４の放射部材１と第二放射部５の放射部材１とを平面視で位置ズレさせた配置例として、第一放射部４の放射部材１と第二放射部５の放射部材１とを平面視で直交（交差の一例）させる配置例を示したが、第一放射部４の放射部材１と第二放射部５の放射部材１とが、平面視で完全に重ならなければ、どのように配置してもよい。
例えば、平面視において、第一放射部４の平行な放射部材１どうしの間に第二放射部５の放射部材１が位置するように、第一放射部４の放射部材１と第二放射部５の放射部材１とを平行に配置してもよい。その場合は、第一放射部４の放射部材１と第二放射部５の放射部材１とを平面視で全く重ならないように配置することができ、空調対象域Ａへの放射面積を一層広く確保することができる。
【００５１】
（２）前述の実施形態では、多数の放射部材１を平面視で間隔を空けた状態で配設して構成された放射部が上下二段に備えられている場合を例に示したが、放射部が一段又は三段以上に備えられていてもよい。
【００５２】
（３）前述の実施形態では、熱媒の一例として、冷水を例に示したが、冷水に限らず冷媒や温水等であってもよい。
【符号の説明】
【００５３】
１        放射部材
１Ａ      底板部
１Ｂ      側板部
２        熱媒管
３        隙間
４        第一放射部
５        第二放射部
Ａ        空調対象域
Ｃ        天井裏空間
Ｘ        第一方向
Ｙ        第二方向
【図１】
2019117023.tif 000003
【図２】
2019117023.tif 000004
【図３】
2019117023.tif 000005
【図４】
2019117023.tif 000006
【図５】
2019117023.tif 000007
【図６】
2019117023.tif 000008
【図７】
2019117023.tif 000009
【図８】
2019117023.tif 000010